(57)【要約】
【課題】  棚本体の横幅の割りに商品収容区画数を多く確保することが可能で、商品が見えにくい箇所にそのまま放置されてしまうという事態を防ぐことができ、購買客の立った目線位置から見下ろす状態で多くの商品を見渡すことのできる立筒型商品の陳列棚を提供する。
【解決手段】  立筒型商品Ｇを縦一列に縦列させて収容するための商品収容区画１５が横方向に並べて形成された棚本体１が上下多段に配備される立筒型商品の陳列棚１００において、棚本体１の平面視形状を横長ストレート形状から横長円弧状に変更し、商品収容区画の並び方向を横方向から円弧形状に沿う方向に変更することによって１つの棚本体１の商品収容区画数を増加させる。棚本体１が、商品収容区画１５に収容された商品の手前側への滑動を可能にする前下り勾配を有する商品載置面１６を備えている。
【選択図】        図３
0003100780.tif 000002
【実用新案登録請求の範囲】
【請求項１】
立筒型商品を縦一列に縦列させて収容するための商品収容区画が横方向に並べて形成された棚本体が上下多段に配備される立筒型商品の陳列棚において、
上記棚本体の平面視形状を横長ストレート形状から横長円弧状に変更すると共に、上記商品収容区画の並び方向を、上記横方向から棚本体の円弧形状に沿う方向に変更することによって１つの棚本体の商品収容区画数を増加させてあることを特徴とする立筒型商品の陳列棚。
【請求項２】
上記棚本体が、商品収容区画に収容された商品の手前側への滑動を可能にする前下り勾配を有する商品載置面と、その商品載置面を手前側に向けて滑動した立筒型商品を受け止める受枠とを備えている請求項１に記載した立筒型商品の陳列棚。
【請求項３】
立筒型商品の頂面に商品表示が施されていると共に、上記受枠に受け止められた立筒型商品が、上記商品載置面の前下り勾配の大きさに見合う角度で前向きに傾斜してその頂面が上記受枠よりも手前側に突き出るようになっている請求項２に記載した立筒型商品の陳列棚。
【請求項４】
上記受枠に、その受枠の前面を覆う前カバー部とその前カバー部の下端から前下りに傾斜して突出されて上記商品収容区画ごとの商品識別表示が施された突出片とを有するカバープレートが装着されている請求項３に記載した立筒型商品の陳列棚。
【考案の詳細な説明】
【技術分野】
【０００１】
本考案は、たとえば自動車用塗料を円筒型スプレー容器に収容したような立筒型商品を横に並べた形で多段に亘って陳列することのできる立筒型商品の陳列棚に関する。
【背景技術】
【０００２】
図５及び図６を参照して従来の立筒型商品の陳列棚を説明する。図５は陳列棚に用いられる棚本体１の一部省略平面図、図６は陳列棚１００を説明的に示した一部破断側面図である。
【０００３】
図６のように、陳列棚１００では、支持体１１０の上下方向複数箇所に具備されている係止片部１１２のそれぞれに、それぞれの棚本体１に設けられている片持ちアーム１２の基部の掛止め部１３を係止させることによって棚本体１が上下多段に配備されている。そして、図５又は図６で判るように、棚本体１は、横長矩形の上下の外枠２１，２２の複数箇所を縦線材２３で連結することによって横長ストレート形状の籠形に形成されていて、１つの棚本体１には、前後方向にまっすぐな仕切り部１４によって形作られた２つ又はそれより多い立筒型商品（以下「商品」という）Ｇを縦一列に縦列させて収容するための商品収容区画１５…が横方向に並べて形成されている。また、それぞれの商品収容区画１５の底面には、前後方向にまっすぐな線材１６ａを所要本数配備することによって商品載置面１６が形成されていると共に、その商品載置面１６の前端には、上外枠２２の前側辺部によって形成された受枠１７が配備されている。
【０００４】
片持ちアーム１２の掛止め部１３を支持体１１０の係止片部１１２に係止させて図６のように棚本体１を上下多段に配備した状態では、格段の棚本体１が垂直方向に並び、しかも、それぞれの棚本体１では、各商品収容区画１５の商品載置面１６が水平に配備されるようになっていた。
【考案の開示】
【考案が解決しようとする課題】
【０００５】
このような陳列棚１００にあっては、１つの棚本体１に具備させ得る商品収容区画１５の数が棚本体１の横幅に見合う数に制限されるけれども、その一方では１つの棚本体１の商品収容区画１５を増やして商品の陳列数を増加させたいという要求があり、従来のように棚本体１が図５のように横長ストレート形状に形成されているとその要求に対処することが困難であるという問題があった。
【０００６】
また、このような陳列棚１００を設置した店内では、陳列棚１００の前側の通路Ｓに立った購買客の目線の位置で各段の棚本体１に陳列されている商品Ｇを見下ろした場合、上段側の棚本体１やその棚本体１に陳列されている商品Ｇが視線を遮って下段側の棚本体１に陳列されている商品Ｇが見にくくなったり見えなかったりすることが多々ある。そのため、たとえば自動車用塗料のように塗装という用途に使われる商品であって、車種に応じた多数の色に区別されている多数の商品Ｇを、棚本体１のそれぞれの商品収容区画１５に車種ごと又は色ごとに縦列させて収容して陳列しているような陳列棚１００にあっては、購買客が所望の商品を探すときに腰を曲げたり伸ばしたりして目線の高さを変えながら探す必要が生じ、全部の商品の中から所望の商品を認識・識別するのに不便であるという問題があった。
【０００７】
そのほか、購買客が最も手前の商品を取り出したために図６に仮想線で示したようにその商品が無くなったときには、その後側の商品が上段の棚本体１に多い隠されてしまって見えなくなったり、目線の位置を下げてもその商品が見えにくいままに放置されてしまうという問題があった。
【０００８】
本考案は以上の事情や問題に鑑みてなされたものであり、棚本体の横幅の割りに商品収容区画数を多く確保することが可能な立筒型商品の陳列棚を提供することを目的とする。
【０００９】
また、本考案は、購買客が最も手前の商品を取り出したときには、その後側の商品が手前側に滑り出てくるような対策を講じることによって、商品が商品収容区画の見えにくい箇所にそのまま放置されてしまうという事態を防ぐことのできる立筒型商品の陳列棚を提供することを目的とする。
【００１０】
さらに、本考案は、購買客の立った目線位置から見下ろす状態で多くの商品を見渡すことのできる立筒型商品の陳列棚を提供することを目的とする。
【００１１】
さらに、本考案は、棚本体のそれぞれの商品収容区画に収容されている商品についての商品識別表示が、購買客の立った目線位置で見やすくなる立筒型商品の陳列棚を提供することを目的とする。
【課題を解決するための手段】
【００１２】
本考案に係る立筒型商品の陳列棚は、立筒型商品を縦一列に縦列させて収容するための商品収容区画が横方向に並べて形成された棚本体が上下多段に配備される立筒型商品の陳列棚において、上記棚本体の平面視形状を横長ストレート形状から横長円弧状に変更すると共に、上記商品収容区画の並び方向を、上記横方向から棚本体の円弧形状に沿う方向に変更することによって１つの棚本体の商品収容区画数を増加させてある、というものである。
【００１３】
ここで、棚本体の横幅を同一とし、商品収容区画の並び方向を横方向にした場合と円弧形状に沿う方向にした場合とでは、横方向にした場合よりも円弧形状に沿う方向にした場合の方が商品収容区画を形成するためのスペースが広くなる。そのため、本考案のように、上記棚本体の平面視形状を横長ストレート形状から横長円弧状に変更すると共に、上記商品収容区画の並び方向を、上記横方向から棚本体の円弧形状に沿う方向に変更することによって１つの棚本体の商品収容区画数を増加させることが可能になり、そうすることによって、棚本体の横幅を増やさずに棚本体の商品収容区画の数を増やして商品の陳列数を増加させることが可能になる。棚本体を横長円弧状に形成する場合、棚本体を前方へ張り出す横長円弧形状に形成することも、棚本体を後方へ張り出す横長円弧状に形成することも可能である。
【００１４】
本考案では、上記棚本体が、商品収容区画に収容された商品の手前側への滑動を可能にする前下り勾配を有する商品載置面と、その商品載置面を手前側に向けて滑動した立筒型商品を受け止める受枠とを備えていることが望ましい。この構成であると、購買客が最も手前の商品を取り出したときには、その後側の商品が手前側に滑り出て受枠によって受け止められるので、商品が商品収容区画の見えにくい箇所にそのまま放置されてしまうという事態が防止されて商品が常に見やすい手前側の位置に位置するようになる。
【００１５】
本考案では、立筒型商品の頂面に商品表示が施されていると共に、上記受枠に受け止められた立筒型商品が、上記商品載置面の前下り勾配の大きさに見合う角度で前向きに傾斜してその頂面が上記受枠よりも手前側に突き出るようになっていることが望ましい。これによれば、購買客の立った目線の位置から見下ろす状態で、下段側の棚本体に陳列されている商品の商品表示が見やすくなる。
【００１６】
本考案によれば、上記受枠に、その受枠の前面を覆う前カバー部とその前カバー部の下端から前下りに傾斜して突出されて上記商品収容区画ごとの商品識別表示が施された突出片とを有するカバープレートが装着されている、という構成を採用することが可能であり、これによれば、棚本体のそれぞれの商品収容区画に収容されている商品についての商品識別表示が、購買客の立った目線位置で見やすくなる。
【考案の効果】
【００１７】
以上のように本考案に係る立筒型商品の陳列棚によれば、棚本体の横幅の割りに商品収容区画数を多く確保することが可能になるので、狭い場所に従来よりも多くの商品を陳列することが可能になるという効果があり、この効果は、棚本体の設置段数を増やすことによってさらに顕著になる。また、商品載置面に前下り勾配を具備させたものでは、購買客が最も手前の商品を取り出しても、その後側の商品が手前側に滑り出て常に見やすい手前側の位置に位置するようになるので、購買客が立った目線の位置から見下ろして商品を探すときに所望の商品を見落としにくくなるという利点がある。
【００１８】
そのほか、商品表示や商品識別表示を立った目線位置から見下ろす状態で認識・識別することが容易に可能になるという効果も得られる。
【考案を実施するための最良の形態】
【００１９】
図１は本考案に係る立筒型商品の陳列棚１００の概略平面図、図２は棚本体１の一部省略平面図、図３は陳列棚１００を説明的に示した一部破断側面図である。
【００２０】
この実施形態の陳列棚１００において、棚本体１が籠形に形成されていて、その籠形を構成している基本となる骨組み構造は図５または図６で説明した従来の場合と同様である。すなわち、図２又は図３で判るように、棚本体１は、横長矩形の上下の外枠２１，２２の複数箇所を縦線材２３で連結することによって籠形に形成されていて、１つの棚本体１には、仕切り部１４によって形作られた２つ又はそれより多い立筒型商品（以下「商品」という）Ｇを縦一列に縦列させて収容するための商品収容区画１５…が並べて形成されている。また、それぞれの商品収容区画１５の底面には、前後方向にまっすぐな線材１６ａを所要本数配備することによって商品載置面１６が形成されていると共に、その商品載置面１６の前端には、上外枠２２の前側辺部によって形成された受枠１７が配備されている。
【００２１】
この実施形態において、棚本体１が従来のものと異なる点の１つは、その平面視形状を図５に示した横長ストレート形状から図２のように横長円弧状に変更すると共に、商品収容区画１５…の並び方向を、図５に示した横方向から図２のように棚本体１の円弧形状に沿う方向に変更することによって１つの棚本体１の商品収容区画数を増加させてある点である。すなわち、図２のように上下の外枠２１，２２（外枠２１は図に表れていない）を半径の大きな円弧形状に形作った上で、棚本体１の横幅Ｗ２を図５に示した従来の棚本体１の横幅Ｗ１と同一にすると共に、円弧形状の上下の外枠２１，２２の後側辺部２１ａ，２２ａ（後側辺部２１ａは図に表れていない）の円弧長さを図５の棚本体１の横幅Ｗ１よりも長くし、円弧方向に並んでいるそれぞれの商品収容区画１５の後側の円弧方向に沿う幅ｗ２を図５の商品収容区画１５の横幅ｗ１と同一にし、円弧方向に並んでいるそれぞれの商品収容区画１５の手前側の円弧方向に沿う幅ｗ３を上記幅ｗ２よりも少し長くしてある。そして、この構成を採用することによって、１つの棚本体１の商品収容区画数を図５の場合よりも１つだけ増加させてある。また、図１のように、棚本体１を前方（通路Ｓ側）へ張り出す横長円弧形状に形成してある。この点は、たとえば図４のように棚本体１を後方へ張り出す横長円弧状に形成することも可能である。
【００２２】
また、この実施形態では、図３のように、支持体１１０の上下方向複数箇所に具備されている係止片部１１２のそれぞれに、それぞれの棚本体１に設けられている片持ちアーム１２の基部の掛止め部１３を係止させることによって棚本体１を上下多段に配備してある。加えて、片持ちアーム１２を前下りに傾斜させることによって、棚本体１の各商品収容区画１５に備わっている商品載置面１６に前下り勾配を付与してあり、その前下り勾配によって商品収容区画１５に収容した商品Ｇが商品載置面１６を手前側に滑動して受枠１７によって受け止められるようになっている。したがって、商品収容区画５の手前側に収容されている商品を取り出すと、図３の矢印Ｆのように、その後側の商品が商品載置面１６を滑動して受枠１７に受け止められて常に手前側の位置に商品Ｇが位置するようになる。
【００２３】
また、図３のように棚本体１を上下多段に配備した状態では、格段の棚本体１が前下りに傾斜した状態で垂直方向に並ぶので、通路Ｓ側に立った購買客の目線位置から見下ろすだけで、全段の棚本体１に陳列されている商品のうち、最も手前側に位置する商品の全部を見渡すことが可能になり、購買客にとっては、所望の商品を探しやすいという利点がある。
【００２４】
この実施形態では、商品Ｇの頂面を前下りに傾斜させて、その頂面に商品表示Ａを施してあり、受枠１７によって受け止められた商品Ｇでは、その商品Ｇが商品載置面１６の前下り勾配の大きさに見合う角度で前向きに傾斜してその頂面が受枠１７よりも手前側に突き出るようになっている。また、受枠１７に、その受枠１７の前面を覆う前カバー部３１とその前カバー部３１の下端から前下りに傾斜して突出されて商品収容区画１５ごとの商品識別表示が施された突出片３２とを有するカバープレート３が装着されている。この構成により、商品表示Ａや突出片３２の商品識別表示を立った目線位置から見下ろす状態で認識・識別することが容易に可能になる。
【００２５】
上記陳列棚１００に陳列する立筒型商品としては、自動車用塗料のように塗装という用途に使われる商品があるけれども、商品の種類はそのような自動車用塗料に限定されないことは勿論である。
【図面の簡単な説明】
【００２６】
【図１】本考案に係る立筒型商品の陳列棚の概略平面図である。
【図２】棚本体の一部省略平面図である。
【図３】陳列棚を説明的に示した一部破断側面図である。
【図４】本考案に係る立筒型商品の陳列棚の変形例の概略平面図である。
【図５】従来の陳列棚に用いられる棚本体の一部省略平面図である。
【図６】従来の陳列棚を説明的に示した一部破断側面図である。
【符号の説明】
【００２７】
Ａ  商品表示
Ｇ  商品（立筒型商品）
１  棚本体
３  カバープレート
１５  商品収容区画
１６  商品載置面
１７  受枠
３１  前カバー部
３２  突出片
１００  陳列棚
【図１】
0003100780.tif 000003
【図２】
0003100780.tif 000004
【図３】
0003100780.tif 000005
【図４】
0003100780.tif 000006
【図５】
0003100780.tif 000007
【図６】
0003100780.tif 000008